(57)【特許請求の範囲】
【請求項１】
燃料槽から燃料油を流路を介して燃焼器へ供給するポンプの電磁コイルの軸心縦貫孔に挿嵌されたシリンダの管柱内に摺動往復自在に嵌装され、吸入逆止弁を備えかつ端部にカット弁が形成された電磁プランジャが、カット弁によりポンプの吸入側要部に備えたカット弁シートを押圧閉塞可能に、他端部から戻し用のばねの反発力で付勢され、前記電磁プランジャが、ポンプの作用時および燃焼器の燃焼停止後の所定時間に、前記ばねの反発力に抗してカット弁をわずかに開成し続けるために、前記電磁コイルに一定電圧を印加し、ポンプ作用する燃焼継続中は、この電圧電流に重畳する断続パルス電流の付勢により往復動される液体燃料供給用電磁プランジャポンプにおいて、前記燃焼停止のポンプ作用停止時に、前記ポンプの吐出側を含む下流側から上流の吸入側へ未燃燃料油を漏洩逆流させるために、前記管柱の下流の吐出側要部に一端を支点とする蝶番的な作用可能に配設されかつポンプ運転時は吐出側の高い圧力を受けて閉めきられるようになっているリード弁状の吐出逆止弁と、これに係合する吐出弁シートとの少なくともこの組み合わせの間にポンプ作用停止時に僅少の隙間を有する漏洩手段を設けたことを特徴とする液体燃料供給用電磁プランジャポンプ。
【発明の詳細な説明】
【０００１】
【発明の属する技術分野】
本発明は、燃焼装置、特に石油ファンヒータなどの石油温風暖房機、石油給湯機などの燃焼器へ液体燃料供給用の電磁プランジャポンプに関し、これらの燃焼装置における消火時の未燃燃料による臭気発生やタール焦げつき防止をはかるために、その消化時に燃料油供給用電磁プランジャポンプの吐出側からノズルまでの燃料通路に残存する燃料を吸入側に戻して回収する消臭作用および燃焼再開時にポンプの吐出弁の上流および吸入側配管内に燃料油と置換された空気の混入による所謂エア咬み現象による燃料吐出乱調、空燃比の変動による不完全燃焼ガスの発生や燃焼器のルーバーから火を吐く立焔現象などの危険災害防止のために、前記消化時に未燃燃料を燃料槽側へ逆流回収させる戻り量を制限し、ほぼポンプ本体内に残留させるように吐出弁からの漏洩逆流量を制御する方法に関するものである。
【０００２】
【従来の技術】
上記した家庭および業務用の小型暖房機のファンヒータや給湯機に用いられる石油気化式燃焼装置には、従来公知の特開昭60-93184号公報、および特許第2601592 号公報に開示されているように、ポンプで送った燃料油を、電熱ヒータを備えた気化室内にノズルから吐出させ、同時にこのノズルを囲繞する給気ノズルから空気を噴出させて燃料油を霧化し、さらに気化させて、これに着火燃焼させる所謂エアジェット式バーナやブンゼン式バーナ或いはロータリー式バーナ、およびポット式バーナ等が知られている。
【０００３】
このような石油気化式バーナにおいては、その消化時にポンプの吐出弁から吐出側配管を経てノズルまでの未燃油の一部が膨張し、このノズルから吐出して前記臭気等を発生することを防止するために、従来から各種の先行技術が提案されている。
【０００４】
すなわち、特許第2698018 号公報に記載の従来技術では、電磁ポンプのプランジャの上部に突上部材を設けて消火時に吐出用逆止弁を突き上げて吐出側配管を含む吐出側下流の未燃燃料を逆流させる開成期間を規制している。
【０００５】
図２はこの突上部材、つまりプッシュロッド式の従来技術の電磁プランジャポンプの一部断面を表す縦断説明図である。
【０００６】
これによると、電磁プランジャ１１１の上端に突上部材（プッシュロッド）１０９が固定されており、電磁コイル１０７に、燃焼停止時にポンプ作用させるための断続パルス電流を切電すると共に、前記突上部材１０９を前記断続パルス電流のパルス幅以上の所定期だけ電磁プランジャ１１１を上記死点を越えて移動させる吐出弁１０４の開放手段を備えたもので、つまり本件特許技術の場合は、開放手段は電磁コイル１０７に電磁プランジャ１１１を上死点を越えて上方に移動させ得る電流を付勢して、それによって電磁プランジャ１１１をゆっくりと上方に引き上げ、突上部材１０９が吐出弁１０４を押し開き、下流の未燃燃料を上流へ前記所定期間だけ逆流させて消臭作用に寄与させるものである。
【０００７】
図４は、この方式の電磁プランジャ１１１の動作を示すものであり、その行程長は、その往復運動により、燃料を吸入し吐出する通常のポンプ作用時は０点からＰ２点までである。電磁プランジャ１１１が消臭作用のために吐出弁１０４を押し上げ始める位置は、凡そＰ１とＰ２の中間点Ｐ３である。
【０００８】
消臭作用の動作を行うためには、電磁プランジャ１１１の上端が吐出弁１０４を押し開ける位置Ｐ３を超えてＰ１の位置まで上昇させてその位置で保持させ、所定の未燃燃料が逆流した後、電磁コイル１０７への前記付勢電流を切電する。ここにおいて付言すると、電磁プランジャ１１１の吐出衝程時には、液体の流動圧力抵抗と吸入側の負圧および断続パルス電流の周期によっては、電磁プランジャ１１１の吐出衝程長を充分伸長させる時間的余裕がなく、したがって衝程の上死点が吸入側に偏位して往復動を繰り返すことが、この種のフリーピストン形電磁ポンプの通例であり、このことは前記公知の従来技術文献に記載されている通りである。この理由により、電磁コイル１０７に断続パルス電流を付勢するポンプ作用時は、突上部材が吐出弁を押し上げて叩くことは無く、したがってこれらの損傷や騒音発生のおそれが全くないのである。
【０００９】
しかして、消臭動作を行う場合には、プランジャが０点の位置から通常のポンプ動作を行う最大の位置Ｐ２を超えてＰ１まで引き上げる必要があり、その際にプランジャを急激に引き上げると、プランジャが燃料を押し出し、一旦消化した後に燃料がバーナの気化部に滴下して多量の未燃ガスが発生する。
【００１０】
そのため、ＴからＳまでゆっくりとプランジャを引き上げる必要がある。
【００１１】
つぎに、特許第2601592 号公報および特許第2995983 号公報に開示の従来技術は、吐出弁を磁性材料をもって作り、消化時に電磁力で吐出弁を開成して未燃燃料を吸入側へ逆流回収させるものである。
【００１２】
図３は、この従来技術によるマグネット弁式の消臭電磁プランジャポンプの一部断面を表す縦断説明図で、吐出弁であるマグネット弁２０７が磁性材で構成されでおり、マグネット弁２０７の外郭に電磁弁用のＳＶ上磁路２０３、ＳＶコア２０４、ＳＶ下磁路２０８と専用のサブコイル２０６とが設けられている。
【００１３】
消化時の消臭動作の際には、ポンプ動作用の前記断続パルス電流を切電後、サブコイル２０６に電圧を印加すると、マグネット弁２０７が上方に引き上げられてこの弁が開かれ、下流の未燃燃料は上流に逆流して戻される。
【００１４】
この方式は、前記電流の制御が簡単であり、消臭動作用に電磁プランジャの偏位移動による吐出しも無いが、ポンプの構成および回路構成が複雑になり、コスト高となる欠点がある。
【００１５】
以上、図２、図３に示す従来技術の構成、作用等については、前記それぞれの特許公報における説明の通りであるから、その説明は省略する。
【００１６】
一方、着火時においては、着火時の白煙や異臭を無くすため、ポンプ始動から着火までの時間を短くする必要がある。
【００１７】
従来方式のポンプは．吐出側にある弁機構で停止時の逆流を防ぐ機能を持たせているが、吐出弁の押さえばねの荷重は流量の安定性を確保するためには、できるだけ弱くする必要があり、その結果逆流を防止する機能が低下し、長時間放置すると、配管内の燃料が無くなり、着火性が悪くなる問題があった。
【００１８】
【発明が解決しようとする課題】
上記従来技術の問題点欠点に鑑み、これらの問題を解決し、さらに進歩性、新規性をそれぞれつぎの点に関して追求したものである。
【００１９】
１）吐出弁が静止状態、すなわちポンプ作用休止の状態で弁シートの間に僅かの隙間を有して下流から上流への流体の漏洩を許容させ、かつ燃焼停止後のポンプ作用終了後、所定の時間をおいて電磁プランジャの吸入側に備えたカット弁を閉塞させる構成として消火時の消臭機能の制御を可能とする。
【００２０】
２）カット弁の駆動電圧を、あらかじめ電磁プランジャ静止の位置より僅かに引き上げるような一定の電圧を加えて、その電圧を基底として電磁プランジャが往復作動する断続パルス電流を重畳させる。
【００２１】
３）前記消臭動作が一定の電圧Ｖ１と所定の保持時間だけ制御可能のように簡単な構成とした。
【００２２】
４）電磁プランジャの往復運動でポンプ作用して燃料を吐出することを停止する燃焼停止直後から均一な燃料油の逆流戻り量を得る。
【００２３】
５）ポンプの電磁プランジャの作動停止後は、カット弁により下流から上流への逆流漏洩を完全に遮断する。
【００２４】
以上の要求事項を満足させて、
イ）突上部材や磁性体のマグネット弁を用いずに燃焼作用前後の消臭動作が可能となる。
【００２５】
ロ）消臭動作の際に、プランジャを引き上げる必要がないので、消臭動作初期の燃料の吐き出しがない。
【００２６】
ハ）電磁プランジャは、その停止時にカット弁が弁シートに押圧閉塞するので、その他端と磁性体をもってなる吐出側接手の下端面との間の磁気空隙の寸法が所定値に管理容易であり、ポンプ組付け時にそのバラツキが少なく、したがって磁気空隙の自乗に反比例するという磁気吸引力、すなわちポンプの吐出能力をほぼ均等に管理しやすい。
【００２７】
【課題を解決するための手段】
本発明における上記従来技術の問題点を解決するために、本発明による液体燃料供給用電磁プランジャポンプは、
燃料槽から燃料油を流路を介して燃焼器へ供給するポンプの電磁コイルの軸心縦貫孔に挿嵌されたシリンダの管柱内に摺動往復自在に嵌装され、吸入逆止弁を備えかつ端部にカット弁が形成された電磁プランジャが、カット弁によりポンプの吸入側要部に備えたカット弁シートを押圧閉塞可能に、他端部から戻し用のばねの反発力で付勢され、前記電磁プランジャが、ポンプの作用時および燃焼器の燃焼停止後の所定時間に、前記ばねの反発力に抗してカット弁をわずかに開成し続けるために、前記電磁コイルに一定電圧を印加し、ポンプ作用する燃焼継続中は、この電圧電流に重畳する断続パルス電流の付勢により往復動される液体燃料供給用電磁プランジャポンプにおいて、前記燃焼停止のポンプ作用停止時に、前記ポンプの吐出側を含む下流側から上流の吸入側へ未燃燃料油を漏洩逆流させるために、前記管柱の下流の吐出側要部に一端を支点とする蝶番的な作用可能に配設されかつポンプ運転時は吐出側の高い圧力を受けて閉めきられるようになっているリード弁状の吐出逆止弁と、これに係合する吐出弁シートとの少なくともこの組み合わせの間にポンプ作用停止時に僅少の隙間を有する漏洩手段を設けたことを特徴とする。
【００２８】
【発明の実施の形態】
以下、本発明の実施の形態を図面によって詳細に説明する。
【００２９】
図１は、本発明の液体燃料供給用電磁プランジャポンプの一部断面を表す縦断説明図である。図示しない燃料槽から燃料油を配管などの流路を介して燃焼器へ供給する電磁プランジャポンプで、燃焼器の燃焼停止の消火時の未燃ガス等燃料の発する悪臭の発生を阻止するものである。電磁プランジャ１０が、該ポンプの電磁コイル７の軸心縦貫孔に挿嵌されたシリンダの管柱９内に摺動往復自在に嵌装され、かつプレート弁をもってなる吸入逆止弁１４を内蔵している。電磁プランジャ１０は、その端部に形成したカット弁１５により、ポンプの吸入側要部の吸入接手１７内に備えたカット弁シート１６を押圧閉塞可能に、その他端部から戻し用のばね８の反発力で付勢されている。
【００３０】
電磁コイル７の上下両端部には、管柱９に外嵌し、磁性材料をもってなる吐出接手１および磁気鉄板１２がそれぞれ配設され、前記管柱９の吐出側は吐出接手１に接続し、その吸入側は吸入側接手１７に接続されている。吐出接手１および磁気鉄板１２は、電磁コイル７と共に外枠継鉄の外凾６を吸入接手１７に螺締結することで挟着固定されている。前記管柱９の下流の吐出側要部に配設された、例えば柔軟性のある合成ゴムで作られた板状のプレート弁状の吐出逆止弁３と、これに係合する吐出弁シート４があり、管柱９の上部との間にパッキング５を介設して水密を保っている。一方、管柱９の吸入側接手１７の接続部には、Ｏ−リング１３により気密水密を保持している。
【００３１】
前記両逆止弁３、１４のプレート弁はその端部を吐出弁シート４と吐出バルブ筒２、およびカット弁１５と吸入バルブ筒１１とでそれぞれ固定されており、ポンプの静止状態では、何れもそれぞれの間に僅小の隙間を設けている。
【００３２】
これらプレート弁３、１４はそれぞれ固定された端部を支点としてヒンジ加工した蝶番的な作動を可能としている。
【００３３】
前記プレート弁３、１４は前述したように柔軟性のある板状素材のリード弁状でそれぞれの弁シートと僅小のスキマを有して、ポンプ作用の停止時に特に吐出側の圧力が低下して、このスキマを開き吐出側の未燃燃料を吸入側に漏洩逆流させるのであるから、弁シート側にこの僅小のスキマを備えることも差し支えない。
【００３４】
さらに、前記柔軟性のあるプレート弁を弾性のある硬質の素材をもってするときは、弁シートを柔軟性のある素材とすることもよい。
【００３５】
また、前記僅小のスキマは、弁シートに溝を刻設することも、吐出およびもしくは吸入側逆止弁の弁座との当接面の表面アラサを予め粗くして置く方法もある。これらは、従来技術の特開昭60-93184号公報、実公平5-31272 号公報、実公平5-11351 号公報に開示されている。
【００３６】
前記カット弁は、下端が平滑な面でポンプの静止状態では、前記ばね８によりカット弁シート１６に押圧、吸入側流路を閉塞している。
【００３７】
前記管柱９とこれに嵌装された電磁プランジャ１０との間には、摺動ハメアイにてその間に極めて僅小のスキマがあり、このスキマからポンプの静止時にその吐出側の未燃燃料を吸入側に漏洩逆流させることができるから、吸入逆止弁１４側の前記僅小のスキマはこれを設けなくてもよいことがある。但し、吐出逆止弁３側の上記僅小なスキマは必要である。
【００３８】
前記磁性材料をもってなる吐出側接手１は環状磁極を形成し、その下端面と電磁プランジャ１０の上端面との間に磁気空隙を有しており、前記外凾６、磁気鉄板１２とにより磁気回路を構成している。
【００３９】
電磁コイル７に電流を付勢すると、電磁プランジャ１０は磁気回路に発生した磁力により上方に移動すると共に、カット弁１５はカット弁シート１６から離れて、吸入側の流路を開成する。前記電流を切電すると、ばね８の反発力で旧に復す。
【００４０】
電磁コイル７に断続パルス電流を前記一定電圧を印加、すなわち定電流に重畳して付勢すると、電磁プランジャ１０は先ずカット弁を開き、ついで管柱内を往復動して、前記吸入逆止弁１４と吐出逆止弁３と協同してポンプ作用を営み、吸入側接手１７のストレーナ１８を通過した流体は、ポンプ内部を縦貫して吐出側接手１から吐出される。上記電磁コイル７への付勢電流を断つと、電磁プランジャ１０はばね８の反発力で下方に移動し、カット弁１５がカット弁シート１６を閉塞し、吸入側の流路を再び遮断するのである。
【００４１】
消臭動作の際には、電磁プランジャ１０がカット弁シート１６から僅かに離れ得るように電磁コイル７に電流を付勢し、カット弁１５がカット弁シート１６を開離した位置で保持することにより、前記吐出逆止弁３、吸入逆止弁１４の前記僅小の隙間および管柱９と電磁プランジャ１０との隙間を通り、下流側の未燃燃料を上流側に漏洩逆流させて回収させ、そして所定の量を逆流させる時間を経過後、前記電流を断つと、前記カット弁１５がカット弁シート１６を遮断して前記逆流を停止させる。
【００４２】
なお、ここで前記電磁コイル７へ一定電圧を印加、すなわち所定電流を付勢することは、あたかも電磁プランジャ１０が磁気吸引力によって、図において上方の吐出接手１の環状磁極の方へ磁気空隙を埋めるように移動しようとする際には、同時に電磁コイルに発生した所謂ソレノイド引力も加わっているのである。
【００４３】
このソレノイド引力については、本願出願人らが先に提案した特公昭57-12863号公報にも詳細なその記載があるので、その説明は省略する。
【００４４】
もちろん、この所定電流に重畳して付勢する断続パルス電流によっても同様前記空隙引力とソレノイド引力は働くのである。
【００４５】
しかして、前記所定電流を付勢することは、カット弁１５をして流路を開成しつづけるだけではなく、電磁プランジャ１０を前記吐出接手１の方へ押し上げ保持しようとする通常一般のフリーピストン形電磁プランジャポンプに備えた下ばね或いは補助ばねの働きもなすもので、電磁プランジャ１０の複行程時の慣性による所謂オーバーシュートを緩衝阻止し、したがってカット弁シート１６への衝撃を防止し、騒音およびその損傷を防ぐので、耐久性を増す効果もあるのである。
【００４６】
前記燃焼停止でポンプ作用の終了時には、ポンプの吐出側のノズルまでを含む配管の管径や長さ等により残存未燃燃料の量に若干の相違はあるが、数ミリリットルであり、燃焼停止による輻射熱など雰囲気温度と電磁コイル７の温度上昇による熱を前記残存未燃燃料が吸収して膨張したとしても、カット弁１５から下流の液量をも吸入側に漏洩逆流させて回収するように考えても、それに要する時間は凡そ数十秒であるから、この時間を見込み電磁コイル７への前記一定電圧、すなわち基底となる電流を断つように設定すればよい。もちろん、この場合には、燃料槽の液面はポンプの据付位置より下方にあることが条件である。
【００４７】
本発明の図１に示す一実施の形態の電磁ポンプの電磁コイル７に付勢する電圧波形を図５、図６によって以下説明する。
【００４８】
図５において、Ｖ１の電圧が印加されたときに、ポンプの電磁プランジャ１０が静止位置から僅かに引き上げられるように、Ｖ１の電圧を調整する。
【００４９】
さらに、Ｖ１からＶ２までの電圧を発生する、連続したパルスの周期（１／ｆ）と通電時間（ＯＮ／Ｔ）を印加したときに、ポンプが所定の量を吐出するように調整する。このような電圧をポンプの電磁コイル７に印加したとき、ポンプのプランジャは図６のような動作をする。つまり、電圧がＶ１になったとき、プランジャは０点からＰ１の位置まで引き上げられる。
【００５０】
その後、電圧がＶ１からＶ２に上昇すると、プランジャはＰ１からＰ２まで引き上げられる。そして、電圧がＶ２からＶ１まで低下すると、プランジャはＰ１の位置に戻る。
【００５１】
このように、連続パルス電圧が印加されているときは、プランジャはＰ１からＰ２までの上下運動を繰り返し、先に説明したポンプの構造において燃料を吸入し、吐出する。
【００５２】
消臭動作を行うときは、図６のＴの時点で、パルス電圧のみを停止する。すると、プランジャには、Ｖ１の電圧で発生する磁気力が加わり、Ｐ１の位置に停止する。Ｐ１の位置は、プランジャが静止位置（流路を塞いでいる位置）より僅かに離れているので、流路は開放になっており、下流の燃料が上流に戻る。
【００５３】
次に、所定の時間が経過した後、Ｖ１の電圧を切ると、プランジャは図４の０点に戻り、プランジャは流路を塞ぎ、燃料の戻りが停止する。このようにして、Ｖ１の電圧で時間当たりの戻り量を制御し、Ｖ１の保持時間ＣＴで戻りの時間を制御することができる。
【００５４】
つぎに、本発明の一実施の形態における制御回路について、図７によって説明する。図７において、
可変電源と、ドライブ用のトランジスタを用いた、制御回路の実施の形態であり、可変電源は消臭動作時のプランジャを、図６におけるＰ１の位置に保持する電圧Ｖ１を発生させる回路である。
【００５５】
Ｔｒは、ＳＧにパルス信号が入力されたときに、Ｖ１からＶ２までのパルス電圧を発生させ、ポンプのプランジャを上下運動させる回路である。
【００５６】
Ｄ１とＤ２は、Ｖ１とＶ２の電圧を合成するための整流素子である。
【００５７】
Ｄ３は、ポンプのコイルから発生する逆起電力により、電子部品が破損されるのを防止するフライホイールダイオードである。
【００５８】
制御の方法としては、先ず可変電源を作動させ、コイルにＶ１の電圧を印加する。次に、ＴｒのＳＧに駆動パルスの信号を印加すると、ポンプは通常のポンプ動作を行い、燃料を吸収し、吐出する。
【００５９】
消臭動作の際は、先ずＴｒのＳＧへの駆動パルスの信号を停止する。信号を停止すると、コイルには可変電源より供給されるＶ１の電圧が印加されているので、プランジャは静止位置より僅かに離れた位置に停止し、上流側の流路が開通された状態になり、下流の燃料が上流に戻る。所定の量が戻ったら、可変電源の出力を停止すると、プランジャは静止位置に戻り、流路が閉塞される。
【００６０】
さらに、つぎに前記制御回路の他の実施の形態について説明する。
【００６１】
これは、可変出力タイプの電圧安定化電源ＩＣを用いた制御回路である。
【００６２】
電源ＩＣは３端子可変出力電圧安定化電源回路であり、ＡＤＪ端子側とＧＮＤ端子側およびＡＤＪ端子側とＯＵＴＰＵＴ端子側に接続される抵抗値の配分により、出力電圧を可変できる。
【００６３】
実施の形態では、ＡＤＪ端子側とＯＵＴＰＵＴ端子側にＲ３の固定抵抗を接続し、ＡＤＪ端子側とＧＮＤ端子側に２個の可変抵抗器ＶＲ１とＶＲ２を直列接続し、一方の可変抵抗器ＶＲ２にＴｒ２を並列に接続し、Ｔｒ２をＯＮ／ＯＦＦ制御してＶ１とＶ２の出力電圧を発生させている。
【００６４】
出力電圧調整用抵抗である、Ｒ３およびＶＲ１，ＶＲ２と電源Ｉｃの出力電圧との関係は、下記のようになる。
【００６５】
0003672511.tif 000002
つまり、Ｔｒ２がＯＮのときは、ＶＲ２が短絡されてＶＲ１で設定されたＶ１の出力電圧になり、Ｔｒ２がＯＦＦのときは、ＶＲ２が開放されてＶＲ１＋ＶＲ２で設定されたＶ２の出力電圧になる。
【００６６】
したがって、Ｔｒ２をパルス信号で断続的にＯＮ／ＯＦＦすると、Ｖ１からＶ２まで変化する断続電圧が出力される。そして電源Ｉｃへの入力電圧が停止されたら、出力は０Ｖになるのである。
【００６７】
Ｔｒ１は信号入力が停止されたときに、Ｔｒ２をＯＮにするためのトランジスタである。
【００６８】
Ｄ1 ，Ｄ２は電源Ｉｃの保護用ダイオード、Ｃ１，Ｃ３は電源Ｉｃ発振防止用コンデンサ、Ｃ２は設定電圧安定用のコンデンサ、Ｄ３は電磁コイルの逆起電力から電源Ｉｃを保護するためのダイオード、Ｒ１、Ｒ２はＴｒ１，Ｔｒ２の電流制限抵抗である。
【００６９】
制御の方法としては、先ずＶｃｃに所定の電圧を印加する。
ＳＧに駆動パルス信号が印加されていない状態では、Ｔｒ２はＯＮの状態であり、ＶＲ２が短絡されるので、電源ＩｃのＡＤＪ端子とＧＮＤ端子間にはＶＲ１のみの抵抗が接続された状態になり、先に示した、出力電圧調整用抵抗と出力電圧の関係式の通り出力電圧は低い電圧になる。その状態で、ポンプのプランジャが静止位置より僅かに離れるように、ＶＲ１でＶ１を調整する。
【００７０】
次に、ＳＧに駆動パルス信号を印加すると、信号がＯＮのときには、Ｔｒ２がＯＦＦになり、電源ＩｃのＡＤＪ端子とＧＮＤ端子間には、ＶＲ１とＶＲ２が直列に接続された状態になり、出力電圧は高い電圧になる。その状態で、信号がＯＮのときの電圧Ｖ２をポンプの吐出量が、所定の量になるようにＶＲ２で調整する。
【００７１】
ＳＧに所定の周期と所定の通電時間をもつ断続パルスを印加すると、ポンプのコイルには、Ｖ１からＶ２まで変化する駆動電圧が印加され、ポンプは通常のポンプ動作を行い、燃料を吸入し、吐出する。
【００７２】
消臭動作を行う際には、先ずＳＧへの駆動パルスの信号を停止する。信号を停止すると、Ｔｒ２がＯＮになり、ＶＲ２が短絡され、電源Ｉｃの出力電圧はＶ１になる。
【００７３】
コイルには、Ｖ１の電圧だけが印加され、プランジャはあらかじめ設定された、静止位置より僅かに離れた位置に保持されて、上流側の流路が開通され、下流側の燃料が逆流する。その後、所定の量が逆流した後、電源Ｉｃへの電圧供給を停止すると、プランジャは静止位置に戻り、上流側の流路が閉塞される。
【００７４】
制御回路にＤ／Ａコンバータを使用して、マイコン制御する方法もある。
【００７５】
図５に示す電圧波形を出力できるものなら、どのような回路でもよい。
【００７６】
【発明の効果】
以上詳述したように、本発明の液体燃料供給用電磁プランジャポンプは、特に従来技術の問題点を解決する課題の欄と実施の形態の欄において述べた理由により、以下のような効果が得られる。
【００７７】
ａ）流路の閉止と開放を電磁プランジャで直接行うので、制御が簡単である。
【００７８】
ｂ）構造が簡単で組み立て易く、コストが安くできる。
【００７９】
ｃ）流路を閉止するカット弁の押さえばねの荷重を大きくできるので、閉止能力を高めることができる。
【００８０】
ｄ）消臭動作時に、プランジャを引き上げる必要がなく（パルス信号が停止して、保持電圧になった時点で流路が開放になる）、消臭動作初期の吐き出しが無く、高い消臭効果が得られる。
【００８１】
ｅ）ポンプ動作（プランジャの上下運動により、流体を吸入して吐出する）を終了した直後から均一な戻り量が得られるので、高い消臭効果が得られる。
【００８２】
ｆ）消臭動作が、一定の電圧Ｖ１と一定の保持時間だけで制御できるので、制御回路が簡単で制御シーケンスも簡単である。
【００８３】
ｇ）ポンプが停止状態（コイルの印加電圧が無い状態）のときは、カット弁で洩れを確実に止めることができるので、着火時の白煙や、異臭の発生がない。
【図面の簡単な説明】
【図１】本発明の液体燃料供給用電磁プランジャポンプの一実施の形態の一部断面を表した縦断説明図である。
【図２】従来の電磁プランジャポンプの一部断面を表す縦断説明図である。
【図３】さらに他の従来の電磁プランジャポンプの一部断面を表す縦断説明図である。
【図４】図２に示す従来技術の電磁プランジャポンプの電磁プランジャの作動を表した線図であり、横軸に時間、縦軸に行程長を表している。
【図５】図１の本発明の実施の形態の電磁プランジャポンプの電磁コイルに印加する電圧部付勢電流の波形図を示すもので、横軸に時間、縦軸に電圧をとる。
【図６】図１の本発明の一実施の形態の電磁プランジャポンプのポンプ作用時と燃焼停止の消火時の消臭作動時の電磁プランジャの動作を示す線図（チャート図）で横軸に時間を、そして縦軸に電磁プランジャの作動状態をとる。
【図７】本発明の電磁プランジャポンプの制御回路図である。
【図８】本発明の電磁プランジャポンプのさらに他の制御回路図を示すものである。
【符号の説明】
１          吐出側接手
３          吐出逆止弁
４          吐出弁シート
７          電磁コイル
８          ばね
９          管柱
１０          電磁プランジャ
１４          吸入逆止弁
１５          カット弁
１６          カット弁シート
１７          吸入側接手
【図１】
0003672511.tif 000003
【図２】
0003672511.tif 000004
【図３】
0003672511.tif 000005
【図４】
0003672511.tif 000006
【図５】
0003672511.tif 000007
【図６】
0003672511.tif 000008
【図７】
0003672511.tif 000009
【図８】
0003672511.tif 000010